(57)【要約】【課題】  電源投入後の期間で、これから画像を記録する媒体の記録内容を容易に確認可能とする。【解決手段】  撮像手段と、前記撮像手段により撮影した動画像情報を記録媒体に記録する記録手段と、前記記録媒体に記録されている動画像情報を代表する代表画像信号を生成する生成手段と、前記代表画像信号を記憶する記憶手段と、電源投入に応じて、前記動画像情報の撮影及び記録が可能となるまでの所定期間、前記記憶手段に記憶された代表画像信号による画像を表示装置に表示する制御手段とを備える。【選択図】  図１
2006005723.tif 000002
【特許請求の範囲】
【請求項１】
撮像手段と、
前記撮像手段により撮影した動画像情報を記録媒体に記録する記録手段と、
前記記録媒体に記録されている動画像情報を代表する代表画像信号を生成する生成手段と、
前記代表画像信号を記憶する記憶手段と、
電源投入に応じて、前記動画像情報の撮影及び記録が可能となるまでの所定期間、前記記憶手段に記憶された代表画像信号による画像を表示装置に表示する制御手段とを備える撮像装置。
【請求項２】
前記生成手段は、前記動画像情報の記録開始時点から所定期間経過後の１フレームの画像信号を用いて前記代表画像信号を生成する事を特徴とする請求項１の撮像装置。
【請求項３】
前記記憶手段には所定数の前記代表静止画像信号を記憶可能であり、前記所定数の代表静止画像信号を記憶後、新たに動画像情報が撮影された場合に、前記記憶手段に既に記憶されている所定数の代表画像信号のうちの一つを削除し、この新たに撮影された動画像情報の代表画像信号を記憶する事を特徴とする請求項１の撮像装置。
【請求項４】
前記制御手段は、前記記憶手段に記憶された複数の代表画像を所定の枚数だけ所定の手順で表示することを特徴とする請求項１の撮像装置。
【請求項５】
前記記録媒体の排出に応じて前記記憶手段に記憶された代表画像信号を消去する事を特徴とする請求項１の撮像装置。
【発明の詳細な説明】
【技術分野】
【０００１】
本発明は撮像装置に関し、特に電源投入時の処理に関するものである。
【背景技術】
【０００２】
現在、ビデオカメラレコーダ等の撮像装置においては、システムの複雑化高精度化に伴い、電源を投入した時に直ちに撮影可能状態になることは出来ず、或る一定の時間だけ各部の初期化の時間が必要とされる。例えば高倍率のレンズシステムを装備していれば、夫々のレンズの位置を確認し、アライメントを取り直すために可動位置の端から端まで動作させる。例えばビデオテープを走行させる装置であれば、テープの位置の確認、テープへの張力調整、各ガイドポストの位置の整頓等である。
【０００３】
初期化の時間はシステムとしては必要なものでは有るが、使用者には待たされる時間が苦痛である。またその待ち時間の間に撮影の準備を行おうにも、撮影画像とともに各種設定表示等を行うファインダーが無表示状態になってしまっていた。
【０００４】
そこで、その初期化の時間に、予め内蔵されたオープニング画像等を表示し、使用者の待ち時間感覚を緩和するという方法を用いているビデオカメラレコーダ等が提案されている（特許文献１参照）。
【特許文献１】特開２０００−５０１１６号公報
【発明の開示】
【発明が解決しようとする課題】
【０００５】
しかしながら従来技術に於ける表示内容は、予め用意された画像や、ユーザーが設定可能な画像であり、本来の撮影機能に対しては何ら関係ない画像であった。
【０００６】
本発明はこの様な問題を解決し、電源投入後の期間で、これから画像を記録する媒体の記録内容を容易に確認可能とすることを目的とする。
【課題を解決するための手段】
【０００７】
そこで本発明においては、撮像手段と、
前記撮像手段により撮影した動画像情報を記録媒体に記録する記録手段と、前記記録媒体に記録されている動画像情報を代表する代表画像信号を生成する生成手段と、前記代表画像信号を記憶する記憶手段と、電源投入に応じて、前記動画像情報の撮影及び記録が可能となるまでの所定期間、前記記憶手段に記憶された代表画像信号による画像を表示装置に表示する制御手段とを備える。
【発明の効果】
【０００８】
本発明によれば、電源投入後の起動時における待ち時間において、記録媒体に記録されている内容を確認することができる。
【発明を実施するための最良の形態】
【０００９】
第一の実施例を図１を用いて説明する。
【００１０】
図１に於て、１０１は撮像するための光学レンズ、１０２は光学像を電気画像信号に変換する撮像素子、１０３は撮像素子１０２からの画像信号を処理し記録可能な画像データに変換する信号処理回路、１０４は信号処理回路１０３にて変換された画像データテープに記録したりあるいは再生したりする記録再生装置、１０５は信号処理回路からの信号を表示し撮影のための画像の確認や再生画像の確認、各種情報の表示等を行うファインダーモニター、１０６は前記各所を制御し、更に動画像データから静止画データを取り込み記録処理を行うコントローラ、１０７は静止画データを記録しておく不揮発メモリー、１０８は電源の入り切りを指示する電源スイッチ、１０９は録画の開始停止を指示する録画スイッチ、１１０はビデオカセットテープを取り出す指示をするテープ取り出しスイッチ、１１１は撮影モードか再生モードかの切り替えを指示するモードスイッチである。
【００１１】
本図に於ける通常の動作を説明すると、被写体を撮影するとレンズ１０１を通り光学像が撮像素子１０２に結像し電気画像信号に変換される。画像信号は信号処理回路１０３に於て処理され画像データとして記録再生装置１０４に送られ、テープにデジタルデータとして記録される。信号処理回路１０３からは撮影時の映像を表示するためにファインダーモニター１０５に信号を送り表示させる。また、テープに記録された動画像は、記録再生装置１０４から再生されて信号処理回路１０３で信号に変換され、ファインダーモニター１０５で視聴することが可能である。
【００１２】
コントローラ１０６は撮影記録及び再生に関する各種制御を、前述１０１〜１０５に対して行っているが、本件に関して詳細の記述は省略する。
【００１３】
電源スイッチ１０８を押されると、コントローラ１０６は本件撮像装置の電源の入れるあるいは切る動作をする。録画スイッチ１０９を押されると、コントローラ１０６は録画モードであれば録画の開始及び停止動作をする。テープ取り出しスイッチ１１０を押されると、カセットテープが装着されている場合はコントローラ１０６はカセットテープの取り出し動作を行う。モードスイッチ１１１を切り替えると、コントローラ１０６は動作モードを録画モードもしくは再生モードに切り替わる。
【００１４】
撮影時は、カセットテープが挿入され、電源スイッチ１０８によって電源が入れられ、モードスイッチ１１１で録画モードにされ、録画スイッチ１０９を押されることで録画の開始となる。
【００１５】
図２は図１の不揮発メモリー１０７の内部の模式図である。本実施例では不揮発メモリー１０７を内部では８等分し、夫々に静止画像データを記録できるようになっている。そのうち「Ａ」〜「Ｃ」の領域は、メーカーが用意し装置の製造時に予め書き込みまれている画像データである。次の「Ｕｓｅｒ」の領域は、使用者が任意に撮影したものを記憶でき、前記「Ａ」〜「Ｃ」領域の代りに利用できる画像データである。最後の「ＰＢ０」〜「ＰＢ３」の領域は本発明で使用される領域で、後述されるように撮影に応じて自動的に画像データが記録されるものである。
【００１６】
図３で動作を説明する。図において、上部は動画像データが録画記録されるテープの様子を模式的に示したものであり、夫々の時点での動作を記してあるものである。下部は前記図２の不揮発メモリー１０７であり、上部の夫々の時点での不揮発メモリー１０７に記憶される静止画像データの様子を示したものである。
【００１７】
図３に於て（１）の時点の動作を説明する。まずテープが挿入するためにテープ取り出しスイッチ１１０が押されされるとカセットテープ挿入口が開く。この時不揮発メモリー１０７の「ＰＢ」領域の記憶データは全て消去される。この時のコントローラ１０６の動作を示したのが図１０のフローチャートである。
【００１８】
次に（２）の時点で録画スイッチ１０９が押され録画を開始する。この時、録画を開始した最初の動画像から、コントローラ１０６は静止画像を生成し、不揮発メモリー１０７の「ＰＢ０」領域に静止画像データとして記憶される。この時のコントローラ１０６の動作を示したのが図７のフローチャートである。
【００１９】
（３）〜（５）の時点で録画スイッチ１０９が押されることで録画が停止する。この時は録画停止位置直前の動画像から、コントローラ１０６は静止画像を生成し、不揮発メモリー１０７の「ＰＢ１」〜「ＰＢ３」の夫々の領域に順に記憶していく。この時のコントローラ１０６の動作を示したのが図８のフローチャートである。
また、この（３）〜（５）の同時点では録画スイッチ１０９が押され録画の再開始もしているが、この時は図７のフローチャートで示すように、既に「ＰＢ０」は記憶済みであるので、各時点で静止画の記憶動作はなされない。
【００２０】
（６）の時点でも録画スイッチ１０９が押され録画が停止する。この時も前記（３）〜（５）と同様に録画停止位置直前の動画像から、コントローラ１０６は静止画像を生成し、不揮発メモリー１０７に記憶しようとするが、既に全ての領域が使用されているので、この時には「ＰＢ１」〜「ＰＢ３」の夫々の記憶データの内一番古いものを消去し、順送りにデータを詰め直し、空いた「ＰＢ３」の領域に記憶するものである。
【００２１】
そして同時点で電源スイッチ１０８が押され、コントローラ１０６の制御で電源が落とされる。
【００２２】
（７）の時点では、再度電源スイッチ１０８が押され、コントローラ１０６の制御で電源は入る。撮像装置全体は起動のための各処理に入るが、それと並行してコントローラ１０６は不揮発メモリーから記憶された画像データを読み出しファインダーモニター１０５に表示する処理を行う。この時のコントローラ１０６の動作を示したのが図５のフローチャートである。
【００２３】
同図において「オープニング画面設定」とは、本撮像装置の使用者が予め起動時にどの画像を表示するかを指示したものである。このうち、「指定無し」と「Ａ」を指定した場合は不揮発メモリー１０７の領域「Ａ」の画像データが表示される。同様に「Ｂ」「Ｃ」「Ｕｓｅｒ」を指定した場合も夫々不揮発メモリー１０７の領域「Ｂ」「Ｃ」「Ｕｓｅｒ」の各画像データが表示される。この時の領域「Ａ」のオープニング画像の例は図４の（い）の様なものとなる。
【００２４】
「ＰＢ」の表示を指定した場合、「ＰＢ」領域が表示される事となる。
【００２５】
この時の動作は更に図６で説明する。まず、コントローラ１０６は不揮発メモリー１０７の「ＰＢ」領域に画像データが記憶されているかを確認する。この場合、“直前にテープが入れられた（抜かれた）”あるいは“動作モードが変更された”場合は「ＰＢ」領域が全て消去されているので、それぞれの警告表示を行う。この時の警告表示を含むオープニング画像の例は、夫々図４の（へ）及び（と）となり、領域「Ａ」の画像に警告文を上書きして表示するようになるものである。
【００２６】
不揮発メモリー１０７の「ＰＢ」領域に画像データが記憶されている場合、「ＰＢ」領域の各画像データを読みだし、縮小処理を行い、一枚の画像に配置し表示を行う。この時のオープニング画像の例は図４の（ろ）の様なものとなる。
【００２７】
その後、図６及び図５に示されるように、初期化時間を賄うだけの時間表示を続けた後に、コントローラ１０６はオープニング画像の表示を消し、撮影のための画像の表示を開始する。
【００２８】
（７）（８）の時点で録画の開始と停止を行われ、（６）の時点と同様に「ＰＢ」領域の古い画像データの消去と順送り、新しい画像データの記憶を行う。
【００２９】
（９）の時点で、モードスイッチ１１１が切り替えられ、コントローラ１０７は装置を記録モードから再生モードへと切り替える。この時、図９に示すようにコントローラ１０６は「ＰＢ」領域の全ての記憶画像データを消去する。
【００３０】
この他、「ＰＢ」領域の表示方法として、前述の“縮小して一画面に再構成し表示する”のではなく、図４の（は）に概略示したように、初期化にかかる時間を分割し、「ＰＢ０」〜「ＰＢ３」領域の各画像データを連続して表示するような方法も考えられる。
【００３１】
また、各領域に、画像データ以外にもデータを付加しておく。例えば撮影された日付も記憶しておき、オープニング画面として表示するときに図４の（に）（ほ）の様に、その日付も表示するようにする方法も考えられる。
【図面の簡単な説明】
【００３２】
【図１】本発明の実施形態を示した図である。
【図２】不揮発メモリーの概略図である。
【図３】実施形態の動作を示した概略図である。
【図４】起動時の表示例を示した図である。
【図５】電源投入時の動作を示したフローチャートである。
【図６】起動時の表示処理を示したフローチャートである。
【図７】記録開始時の動作を示したフローチャートである。
【図８】記録停止時の動作を示したフローチャートである。
【図９】動作モード変更時の動作を示したフローチャートである。
【図１０】テープ取り出し動作時の動作を示したフローチャートである。
【図１】
2006005723.tif 000003
【図２】
2006005723.tif 000004
【図３】
2006005723.tif 000005
【図４】
2006005723.tif 000006
【図５】
2006005723.tif 000007
【図６】
2006005723.tif 000008
【図７】
2006005723.tif 000009
【図８】
2006005723.tif 000010
【図９】
2006005723.tif 000011
【図１０】
2006005723.tif 000012